【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
変形された画像をともに形成する多数のピクセルを表わすデータを生じるように、初期画像をともに形成する多数のピクセルを表わすデータに予め定められた変形をもたらすための画像処理システムであって、各ピクセルは前記初期画像におけるデータのそれぞれのブロックにおけるピクセルの重みを付けられた組合せとして形成され、前記システムは、変形された画像ピクセルに寄与する、前記初期画像におけるあらゆるピクセルを含むデータの前記ブロックを識別し、前記ブロックを複数個のサブブロックへ分割し、かつ前記予め定められた変形に依存して１組の変形係数を各サブブロックごとに計算するために、前記変形された画像における各ピクセルごとに動作可能な制御装置と、
各サブブロックごとに中間値を生じるために、データの各サブブロックにそれぞれの変形係数を加えるための変形ユニットと、
前記変形ユニットから前記中間値を累算するための累算器とを含み、前記変形ユニットが初期画像データブロックにおいてあらゆるサブブロックに前記変形係数を一旦加えると、前記累算器の累算された値が前記変形された画像ピクセルを規定するデータを含む、画像処理システム。
【請求項２】
各サブブロックは複数個の列のピクセルデータと複数個の行のピクセルデータとを含む、請求項１に記載の画像処理システム。
【請求項３】
前記変形ユニットはデジタルフィルタを含む、請求項２に記載の画像処理システム。
【請求項４】
前記デジタルフィルタは２次元的であり、前記制御装置は、それぞれの変形係数を各列のピクセルデータに加えて１組の部分結果を生じ、かつ変形係数を前記１組の部分結果に加えて前記中間結果を生じるように前記フィルタを制御するように各サブブロックごとに配列される、請求項３に記載の画像処理システム。
【請求項５】
前記制御装置は前記初期画像のピクセルと前記変形された画像のピクセルとを識別するアドレスを発生するためのアドレス発生器を含む、請求項４に記載の画像処理システム。
【請求項６】
前記制御装置は複数の組の予め定められた変形係数を表わすデータを含んだルックアップテーブルを含み、前記ルックアップテーブルは、前記予め定められた変形と前記アドレス発生器によって発生されたアドレスとに依存して選択された１組の変形データを表わすデータを出力するように配列される、請求項５に記載の画像処理システム。
【請求項７】
前記制御装置は、前記ルックアップテーブルから出力された前記変形
データから、前記サブブロックにおける各ラインのためと前記１組の部分結果のためとの１組の変形係数を各サブブロックごとに計算するための計算器を含む、請求項６に記載の画像処理システム。
【請求項８】
前記アドレス発生器は３次元アドレスを発生するように配列され、前記制御装置は前記３次元アドレスを、前記初期画像および前記変形された画像においてピクセルを識別可能にさせる２次元アドレスへ変換するための変換器を含む、請求項５または請求項６または請求項７に記載の画像処理システム。
【請求項９】
画像データを記憶するためのランダムアクセスストアをさらに含む、先行する請求項のいずれかに記載の画像処理システム。
【請求項１０】
少なくとも前記初期画像を表わすデータが前記ランダムアクセスストアに記憶され、前記予め定められた変形は前記システムによって読出側の処理動作を通じてもたらされる、請求項９に記載の画像処理システム。
【請求項１１】
少なくとも前記変形された画像を表わすデータが前記ランダムアクセスストアに記憶され、前記予め定められた変形が前記システムによって書込側の処理動作を通じてもたらされる、請求項９に記載の画像処理システム。
【請求項１２】
前記画像データは前記ストアに１次元リストとして記憶される、請求項９から請求項１１のいずれかに記載の画像処理システム。
【請求項１３】
前記変形ユニットは有限インパルス応答フィルタを含む、先行する請求項のいずれかに記載の画像処理システム。
【請求項１４】
第２の複数次元アレイの要素を表わすデータを生じるために、第１の複数次元アレイの要素を表わすデジタルデータをフィルタ処理する方法であって、
第２のアレイの各要素ごとに、第２のアレイの前記要素に寄与する第１のアレイの要素を含むデータの複数次元ブロックを識別するステップと、
データの識別されたブロックをデータの複数個の複数次元サブブロックへ分割するステップと、
各サブブロックごとに１組のフィルタ処理係数を計算するステップと、
各サブブロックに対する中間値を生じるために、各サブブロックのそれぞれの要素にフィルタ処理係数を加えるステップと、
前記中間値を累算するステップとを含み、前記フィルタ処理係数がデータの前記ブロックのあらゆるサブブロックに一旦それぞれ加えられると、累算された値が前記要素の前記データを含む、方法。
【請求項１５】
要素の前記アレイは２次元的である、請求項１４に記載の方法。
【請求項１６】
各サブブロックは複数個の列の要素と複数個の行の要素とを含む、請求項１４または請求項１５に記載の方法。
【請求項１７】
フィルタ処理係数は各列の要素に加えられて１組の部分結果を表わすデータを生じ、フィルタ係数は前記１組の部分結果に加えられて前記中間値を生じる、請求項１６に記載の方法。
【請求項１８】
各サブブロックに対するフィルタ処理係数の組は異なった大きさの複数次元ブロックに対して予め定められた組の係数から計算される、請求項１４から請求項１７のいずれかに記載の方法。
【請求項１９】
前記アレイにおける各要素はピクセルを含み、前記第１のアレイのデータは初期ピクチャを規定し、前記第２のアレイのデータはフィルタ処理されたピクチャを規定する、請求項１４から請求項１８のいずれかに記載の方法。
【請求項２０】
要素の各アレイの前記データを１次元リストとして記憶するステップをさらに含む、請求項１４から請求項１９のいずれかに記載の方法。
【請求項２１】
複数個のランダムアクセスメモリ装置と、
前記ランダムアクセスメモリ装置の１つに各々が接続された対応する複数個のアドレス計算器と、
アドレスバスとを含み、前記アドレスバスは前記アドレス計算器のすべてに並列に接続されるので、各アドレス計算器は前記アドレスバスから同じアドレスを受け、さらに、
前記ランダムアクセスメモリ装置にそれぞれの接続を有するデータバスと、
前記アドレス計算器が前記ランダムアクセスメモリ装置と前記データバスとの間でデータを転送するために接続された前記ランダムアクセスメモリ装置に各アドレス計算器がアドレスを渡すべきかどうかをそこから計算できる制御データを前記アドレス計算器に与えるように接続されたアドレス制御装置とを含む、メモリ。
【請求項２２】
前記ランダムアクセスメモリ装置は複数次元アレイにおいて配列され、各装置は前記アレイ内の装置の位置に関連したそれ自身の予め定められた位置のアイデンティティを有し、前記アドレス制御装置からの前記制御データは、受けたアドレスに対する位置のアイデンティティを各アドレス制御装置が計算することを可能にし、計算された位置のアイデンティティと前記予め定められた位置のアイデンティティが一致するならば前記受けたアドレスを前記ランダムアクセスメモリ装置に渡すものである、請求項２１に記載のメモリ。
【請求項２３】
２次元画像をともに形成する多数のピクセルを規定するデータのストリングを容易にするために、前記アレイは２次元的である、請求項２１または請求項２２のいずれかに記載のメモリ。
【請求項２４】
データは画像における連続した位置の複数個のピクセルを表わすデータを各々が含む一連のデータパッチとして前記ランダムアクセスメモリ装置に記憶され、各パッチのピクセルデータは、各パッチが前記メモリの単一のアドレスで記憶できるように前記ランダムアクセスメモリ装置の１つないし各々に配分される、請求項２３に記載のメモリ。
【請求項２５】
所望のブロックのデータを示すデータを与えるための手段をさらに含み、前記アドレス制御装置は示すデータから前記アドレス計算器のためのアドレスおよび制御データを計算して、前記所望のブロックのデータが前記ランダムアクセスメモリ装置と前記データバスとの間で転送可能になるように配列される、請求項２４に記載のメモリ。
【請求項２６】
前記所望のブロックのデータはデータパッチよりも大きさが大きく、したがって２つ以上の隣接したデータパッチに重複し、前記アドレス制御装置は各パッチに対してアドレスおよび制御データを計算するように配列される、請求項２５に記載のメモリ。
【請求項２７】
前記画像データは１つの前記ランダムアクセスメモリ装置の別個の区域か、または別個のランダムアクセスメモリ装置において記憶するために輝度およびクロミナンスに関して前記画像を規定し、輝度データはスキャン順序で記憶され、クロミナンスデータは前記ランダムアクセスメモリ装置と前記データバスとの間での前記クロミナンスデータの転送を容易にする順序で記憶される、請求項２３から請求項２６のいずれかに記載のメモリ。
【請求項２８】
前記データは１次元リストとして前記ランダムアクセスメモリ装置に記憶される、請求項２１から請求項２７のいずれかに記載のメモリ。
【手続補正２】
【補正対象書類名】図面
【補正対象項目名】全図
【補正方法】変更
【補正の内容】
【図１】
1997128526.tif 000001
【図２】
1997128526.tif 000002
【図３】
1997128526.tif 000003
【図４】
1997128526.tif 000004
【図５】
1997128526.tif 000005
【図６】
1997128526.tif 000006
【図７】
1997128526.tif 000007
【図８】
1997128526.tif 000008
【図９】
1997128526.tif 000009
【図１０】
1997128526.tif 000010
【図１１】
1997128526.tif 000011
【図１２】
1997128526.tif 000012
【図１３】
1997128526.tif 000013
【図１４】
1997128526.tif 000014
【図１５】
1997128526.tif 000015
【図１６】
1997128526.tif 000016